(57)【要約】【課題】支持リンクの移動範囲に応じて渦巻きバネの付勢力の向きが変化し、構成に要するスペースが小さいリンク機構を提供する。【解決手段】箱形形状の収納本体２の内側面において、上部支持リンク７ａは取付板９ａに軸１３ａを中心に回動自在に取付けられ、端部２５に渦巻きバネ１８の外方端部が取付けられている。収納本体２の更に内方には、渦巻きバネ１８が、軸２１を中心に回動自在な回転板２２上に取付けられている。よって、上部支持リンク７ａの回転に従って、渦巻きバネ１８はその内方端部と外方端部とが一旦近づき、その後遠ざかるように移動する。上部支持リンク７ａが、渦巻きバネ１８の内方端部と外方端部とが近づくような移動範囲にあるときは、渦巻きバネ１８は上部支持リンク７ａを回転と逆方向に付勢し、遠ざかる移動範囲にあるときは渦巻きバネ１８は上部支持リンク７ａを回転方向と同方向に付勢する。【選択図】        図１
2004316223.tif 000002
【特許請求の範囲】
【請求項１】
第１の軸と、
前記第１の軸に回動自在に取付けられた第１の支持リンクと、
その外方端部が前記第１の支持リンクに取付けられ、前記第１の支持リンクの第１の方向への回転に伴い、前記第１の支持リンクの第１の移動範囲にあっては、その内方端部と前記外方端部とが近づき、前記第１の支持リンクの第２の移動範囲にあっては、遠ざかるように前記内方端部が移動することができる渦巻きバネとからなり、
前記渦巻きバネは、前記第１の支持リンクに対して、前記第１の移動範囲では前記第１の方向と逆方向に付勢し、前記第２の移動範囲では、前記第１の方向に付勢する、リンク機構。
【請求項２】
前記第１の軸は、前記第１の支持リンクの内方に取付けられると共に、前記第１の支持リンクの一方端部には前記渦巻きバネの外方端部が回動自在に取付けられ、前記第１の支持リンクの他方端部には被移動体を取付けるための取付け部が形成され、
前記第１の支持リンクの前記一方端部側に位置し、前記第１の軸の軸方向に平行な第２の軸と、
前記第２の軸に回動自在に取付けられた回転板とを更に備え、
前記渦巻きバネの前記内方端部は、前記回転板の前記第１の支持リンク側の端部に固定される、請求項１記載のリンク機構。
【請求項３】
請求項２記載のリンク機構を用いた収納装置であって、
対向する一対の面の内少なくとも一方面が開放された箱型形状の収納本体と、
前記一方面を覆うように取付けられた開閉自在の扉とを備え、
前記収納本体の一部を構成し、前記一方面に隣接する平板に前記第１の軸及び前記第２の軸が取付けられ、前記扉が前記被移動体を構成し、
前記第１の支持リンクの前記第１の方向への移動に伴って、前記扉は閉じた状態から開く状態へ移動し、前記第１の支持リンクが前記第１の移動範囲にあっては前記扉は閉じた状態から所定量開いた状態が対応し、前記第１の支持リンクが前記第２の移動範囲にあっては前記所定量を超えて開いた状態が対応する、収納装置。
【請求項４】
前記収納本体は直方体箱型形状を有し、前記平板は前記一方面に隣接する側板であり、
前記第１の支持リンクの前記他方端部は前記取付け部を介して前記扉の内面に回動自在に取付けられ、
前記側板に取付けられ、前記第１の軸の軸方向に平行な第３の軸と、前記第３の軸にその一方端部が回動自在に取付けられ、その他方端部が前記扉の内面に回動自在に取付けられた第２の支持リンクを更に備え、
前記第１の支持リンクと前記第２の支持リンクとは平行支持リンクを構成する、請求項３記載の収納装置。
【発明の詳細な説明】
【０００１】
【発明の属する技術分野】
この発明は、リンク機構に関し、特に収納装置のはね上げ扉等に使用するリンク機構に関するものである。
【０００２】
【従来の技術】
図５は、従来のリンク機構を用いた収納装置の概要を示した図であり、図６は、図５で示したＶＩ−ＶＩラインの断面図である。
【０００３】
これらの図を参照して、収納装置１は、前面が開放された直方体箱形形状を有する収納本体２と、収納本体２の前面に配置された扉３とから構成されており、収納本体２と扉３とは上部支持リンク７ａ及び下部支持リンク８ａとからなる平行支持リンクと、上部支持リンク７ｂ及び下部支持リンク８ｂとからなる平行支持リンクとの一対の平行支持リンクを介して接続されている。
【０００４】
収納本体２の右内側面には、収納本体２の開放された一面から奥行き方向へと渡り、取付板９ａが取付けられている。この取付板９ａに対して、上部支持リンク７ａの上方端部が軸１３ａを介して回動自在に取付けられている。また、下部支持リンク８ａは、その上方端部が軸１４ａを介して取付板９ａに回動自在に取付けられている。
【０００５】
一方、扉３の収納本体２側の面には、扉取付板１０ａが取付けられている。この扉取付板１０ａに対して、上部支持リンク７ａの下方端部が軸１１ａを介して回動自在に取付けられていると共に、下部支持リンク８ａの下方端部が軸１２ａを介して回動自在に取付けられている。
【０００６】
収納本体２の左内側面についても右内側面と同様に構成され、取付板９ｂに回動自在に取付けられた上部支持リンク７ｂ及び下部支持リンク８ｂを介して、扉３の内方面と収納本体２とが接続されている。
【０００７】
このように収納本体２と扉３とが接続されているため、扉３は収納本体２の開放された一面と平行な状態を維持したまま、開放された一面に沿った実線で示した位置から図６の二点鎖線で示した前方上方の位置へと移動することが可能である。
【０００８】
また、取付板９ａ上には、バネ５０がその軸方向が収納本体２の奥行き方向となるように配置されている。バネ５０の一方の端部は、上部支持リンク７ａの上方端部付近に形成されたバネ接続部５３に軸５１を介して回動自在に取付けられ、他方の端部は、軸５２を介して取付板９ａの収納本体２の内方側の位置に回動自在に取付けられている。このバネ５０は、上部支持リンク７ａを軸１３ａを中心に付勢するために取付けられているものであるが、詳細については後述する。
【０００９】
尚、扉３の前面の下方には、取手４が取付けられている。この取手４は、扉３を上方へと移動する際に使用するものであり、上方へとはね上げられた状態の扉３を引き下ろす際に、使用者の手が届きやすい位置に取付けられている。
【００１０】
図７は、図６で示したリンク機構の拡大図である。
【００１１】
図を参照して、扉３の移動時におけるリンク機構の動作について説明する。
【００１２】
まず、扉３が収納本体２に対して閉じられた状態では、上部支持リンク７ａは図の実線で示した位置にある。上部支持リンク７ａにおけるバネ接続部５３は、扉３が閉じられた状態で、軸５１の位置が、軸１３ａと軸５２とを結んだ直線より下方となるように形成されている。バネ５０は、バネ接続部５３を軸５２側へと引っ張るように取付けられているため、上部支持リンク７ａは、バネ５０により軸１３ａを中心として図における時計回りに付勢されている。したがって、上部支持リンク７ａを介して、扉３が収納本体２側へと付勢されるため、扉３の閉じられた状態が安定する。
【００１３】
次に、バネ５０の付勢力に抗して扉３を前方に引き出すように操作すると、上部支持リンク７ａは軸１３ａを中心として図における反時計回りに回転し、扉３は、図の破線で示した位置へと移動する。上部支持リンク７ａの回転に伴って、バネ接続部５３もまた、軸１３ａを中心に図における反時計回りに移動し、軸５２と軸１３ａと軸５１とが一直線上となる。このとき、バネ５０は最も伸張されるが、上部支持リンク７ａに対しては軸１３ａと中心とするいずれの回転方向にも付勢力を発揮しない。
【００１４】
そして、更に扉３を上方へと移動させると、バネ接続部５３も更に軸１３ａを中心に図における反時計回りに移動する。軸５１が、軸５２と軸１３ａとを結んだ直線より上方に移動すると、上部支持リンク７ａは、バネ５０によって軸１３ａを中心とする反時計回りに付勢される。
【００１５】
扉３が上方の二点鎖線で示した位置まで移動すると、上部支持リンク７ａは、図示しないストッパーによって反時計回りの回転が停止するように構成されている。この位置では、上部支持リンク７ａはバネ５０によって図における反時計回りに付勢されているため、扉３は開放された状態から自重によって自然に降下せず、二点鎖線の位置に保持されることになる。
【００１６】
このように、扉３が破線で示した位置から二点鎖線で示した位置までの範囲にあるときは、扉３は上部支持リンク７ａを介して上方へと付勢されるため、扉３を開く際に使用者が破線で示した位置より上方に扉３を移動すれば、手を離しても自動的に二点鎖線の位置まで移動してその位置が保持される。また、扉３が、実線で示した位置から破線で示した位置までの範囲にあるときは、扉３は上部支持リンク７ａを介して収納本体２側へと付勢されるため、扉３を閉じる際に手を離しても自動的に実線で示した位置まで移動して扉３が閉じられた状態となる。よって、使用者にとって、扉３の開閉時の使い勝手が良い。
【００１７】
【発明が解決しようとする課題】
上記のようなリンク機構では、バネの軸方向が収納本体の奥行き方向となるようにバネを配置するため、リンク機構を構成するために必要な収納本体の奥行き方向のスペースが大きくなってしまう。
【００１８】
この発明は、上記のような課題を解決するためになされたもので、構成に要するスペースがより小さいリンク機構を提供することを目的とする。
【００１９】
【課題を解決するための手段】
上記の課題を達成するために、請求項１記載の発明は、第１の軸と、第１の軸に回動自在に取付けられた第１の支持リンクと、その外方端部が第１の支持リンクに取付けられ、第１の支持リンクの第１の方向への回転に伴い、第１の支持リンクの第１の移動範囲にあっては、その内方端部と外方端部とが近づき、第１の支持リンクの第２の移動範囲にあっては、遠ざかるように内方端部が移動することができる渦巻きバネとからなり、渦巻きバネは、第１の支持リンクに対して、第１の移動範囲では第１の方向と逆方向に付勢し、第２の移動範囲では、第１の方向に付勢する、リンク機構を構成するものである。
【００２０】
このように構成すると、渦巻きバネを用いて、第１の支持リンクの移動範囲に応じて第１の支持リンクに対する付勢の向きが変化するリンク機構が構成される。
【００２１】
請求項２記載の発明は、請求項１記載の発明の構成において、第１の軸は、第１の支持リンクの内方に取付けられると共に、第１の支持リンクの一方端部には渦巻きバネの外方端部が回動自在に取付けられ、第１の支持リンクの他方端部には被移動体を取付けるための取付け部が形成され、第１の支持リンクの一方端部側に位置し、第１の軸の軸方向に平行な第２の軸と、第２の軸に回動自在に取付けられた回転板とを更に備え、渦巻きバネの内方端部は、回転板の第１の支持リンク側の端部に固定されるものである。
【００２２】
このように構成すると、第１の支持リンクに取付けられた被移動体の移動に従って、渦巻きバネは第２の軸を中心に移動する。
【００２３】
請求項３記載の発明は、請求項２記載のリンク機構を用いた収納装置であって、対向する一対の面の内少なくとも一方面が開放された箱型形状の収納本体と、一方面を覆うように取付けられた開閉自在の扉とを備え、収納本体の一部を構成し、一方面に隣接する平板に第１の軸及び第２の軸が取付けられ、扉が被移動体を構成し、第１の支持リンクの第１の方向への移動に伴って、扉は閉じた状態から開く状態へ移動し、第１の支持リンクが第１の移動範囲にあっては扉は閉じた状態から所定量開いた状態が対応し、第１の支持リンクが第２の移動範囲にあっては所定量を超えて開いた状態が対応する、収納装置である。
【００２４】
このように構成すると、扉は、閉じた状態と所定量開いた状態の間では、収納本体側に付勢され、所定量を超えて開いた状態では、更に開く方向に付勢される。
【００２５】
請求項４記載の発明は、請求項３記載の発明の構成において、収納本体は直方体箱型形状を有し、平板は一方面に隣接する側板であり、第１の支持リンクの他方端部は取付け部を介して扉の内面に回動自在に取付けられ、側板に取付けられ、第１の軸の軸方向に平行な第３の軸と、第３の軸にその一方端部が回動自在に取付けられ、その他方端部が扉の内面に回動自在に取付けられた第２の支持リンクを更に備え、第１の支持リンクと第２の支持リンクとは平行支持リンクを構成するものである。
【００２６】
このように構成すると、扉は、第１の支持リンクの位置にかかわらず、収納本体の開放された一面と平行な上下の位置に保持される。
【００２７】
【発明の効果】
以上説明したように、請求項１記載の発明は、渦巻きバネを用いて、第１の支持リンクの移動範囲に応じて第１の支持リンクに対する付勢の向きが変化するリンク機構が構成されるため、リンク機構の構成に要するスペースを小さくすることが可能となる。
【００２８】
請求項２記載の発明は、請求項１記載の発明の効果に加えて、第１の支持リンクに取付けられた被移動体の移動に従って、渦巻きバネは第２の軸を中心に移動するため、被移動体の移動のみによって渦巻きバネによる付勢力の方向が変化する。
【００２９】
請求項３記載の発明は、請求項２記載の発明の効果に加えて、扉の移動位置に応じて、扉が付勢される方向が変化するため、扉を所定量以上開くと更に自動的に移動して完全に移動した状態となり、その状態が保持される。また、所定量開いた状態より閉じると自動的に移動して閉じた状態となり、その状態が保持される。よって、収納装置の使い勝手が良い。
【００３０】
請求項４記載の発明は、請求項３記載の発明の効果に加えて、扉は、第１の支持リンクの位置にかかわらず、収納本体の開放された一面と平行な上下の位置に保持されるため、扉の配置が安定して開閉動作がしやすくなる。
【００３１】
【発明の実施の形態】
図１は、この発明の第１の実施の形態によるリンク機構を用いた収納装置の断面図であり、従来例で示した図６と対応する図である。
【００３２】
図を参照して、この実施の形態の収納装置１は、上部支持リンク７ａを付勢するために取付板９ａ上に渦巻きバネ１８が配置されている点が、従来例とは大きく異なっている。
【００３３】
渦巻きバネ１８は、軸２１を中心に回動自在な回転板２２の端部に軸１９を介して固定されており、回転板２２の回動に伴って軸２１を中心に移動することが可能である。これらの詳細については、後述する。
【００３４】
収納本体２と扉３の内方面とは、従来と同様に、軸１３ａを介して取付板９ａに回動自在に取付けられた上部支持リンク７ａと、軸１４ａを介して取付板９ａに回動自在に取付けられた下部支持リンク８ａとから構成される平行支持リンクにより、扉取付板１０ａを介して接続されている。尚、図示しない収納本体の左側面も同様に、上部支持リンク及び下部支持リンクからなる平行支持リンクによって接続されている。
【００３５】
したがって、取手４を持って扉３を前方上方へと引き出すように操作すると、扉３は収納本体の開放された一面と平行な状態で図に示した二点鎖線の位置まで移動することが可能である。
【００３６】
図２は、図１で示したリンク機構の拡大図であり、図３は、図２で示したＩＩＩ−ＩＩＩラインの断面図である。
【００３７】
これらの図を参照して、収納本体２の右内側面には、収納本体２の開放された一面から奥行き方向へと渡って取付板９ａが配置され、取付板９ａ上に上部支持リンク７ａ及び下部支持リンク８ａが取付けられている。
【００３８】
上部支持リンク７ａは、その内方部分が軸１３ａを介して取付板９ａに回動自在に取付けられている。上部支持リンク７ａの一方の端部２５は、収納本体２の内方側に延びるように形成され、後述する渦巻きバネ１８の外方端部２８が回動自在に取付けられている。また、他方の端部２６は、端部２５とほぼ逆方向の開放された一面側に延びるように形成され、扉３の内方面に取付けられた扉取付板１０ａに軸１１ａを介して回動自在に取付けられている。
【００３９】
下部支持リンク８ａは、従来と同様にその上方端部が軸１４ａを介して取付板９ａに回動自在に取付けられ、下方端部が扉取付板１０ａに軸１２ａを介して回動自在に取付けられており、上部支持リンク７ａと共に平行支持リンクを構成している。
【００４０】
上部支持リンク７ａにおける軸１３ａから端部２６側には、折り曲げ部１５が形成されている。折り曲げ部１５は、上部支持リンク７ａと下部支持リンク８ａが共に回転する際に、上部支持リンク７ａの端部２６側部分と下部支持リンク８ａとが相互に干渉するのを防ぐために形成されている。折り曲げ部１５は、軸１３ａからの距離が、軸１３ａと軸１４ａとの間隔より小さくなる位置に形成され、上部支持リンク７ａの端部２６側部分と取付板９ａとの間隔に、下部支持リンク８ａを配置することができるように、端部２６の面は端部２５の面に比べて取付板９ａから離れた位置に配置している。したがって、上部支持リンク７ａの端部２５側部分と下部支持リンク８ａとが、取付板９ａからほぼ同一距離で取付けられていても、上部支持リンク７ａにおける折り曲げ部１５より端部２６側部分と下部支持リンク８ａとは、重なり合うことができ、相互に干渉することがない。
【００４１】
また、取付板９ａの内方側には、軸２１、回転板２２及び渦巻きバネ１８が配置されている。軸２１は、上部支持リンク７ａの端部２５より収納本体２の内方側において、軸１３ａの軸方向と平行となるように取付板９ａに取付けられている。回転板２２は、その一方の端部が軸２１に回動自在に取付けられており、他方の端部には軸１９が固定されている。
【００４２】
渦巻きバネ１８は、その内方端部２９が、回転板２２の端部に取付けられた軸１９に固定されており、回転板２２に伴って軸２１を中心に移動することが可能である。一方、渦巻きバネ１８の外方端部２８は、上部支持リンク７ａの端部２５に軸２０を介して回動自在に取付けられている。このとき、渦巻きバネ１８は、その内方端部２９と外方端部２８とを互いに離す方向の付勢力を発揮して、上部支持リンク７ａを軸１３ａを中心に図２における時計回りに付勢することができるように取付けられている。したがって、扉３が閉じられた状態では、扉３は上部支持リンク７ａを介して収納本体２側に付勢されている。
【００４３】
尚、取付板９ａ上の軸１３ａと軸１４ａとの間にはストッパー２３が配置されているが、このストッパー２３は下部支持リンク８ａの反時計回りの回転を二点鎖線の位置で停止させるために取付けられているものである。
【００４４】
ここで、収納装置１の扉３の開閉動作について説明する。
【００４５】
扉３が閉じられた状態（図２の実線で示した位置）から、扉３を前方上方に引き出すと、扉３は収納本体２の開放された一面と平行な状態で移動する（図２の破線で示した位置）。更に、扉３が移動して二点鎖線で示した位置まで移動すると、下部支持リンク８ａの軸１４ａを中心とする図２における反時計回りの回転は、ストッパー２３によって停止する。下部支持リンク８ａの停止に従って、上部支持リンク７ａ及び扉３ａもその上方への移動を停止する。
【００４６】
次に、上部支持リンク７ａと渦巻きバネ１８の動作について説明する。
【００４７】
図４は、図２で示したリンク機構の渦巻きバネ取付け部分の拡大図である。
【００４８】
図を参照して、扉が閉じられた状態では、上部支持リンク７ａ及び渦巻きバネ１８は、図の実線で示した位置にある。そして、上述したように、上部支持リンク７ａは、渦巻きバネ１８によって軸１３ａを中心に図における時計回りに付勢されている。
【００４９】
扉の移動に伴って、上部支持リンク７ａが軸１３ａを中心に図における反時計回りに回転すると、上部支持リンク７ａに回動自在に取付けられた渦巻きバネ１８の外方端部２８もまた、軸１３ａを中心に反時計回りに移動する。このとき、渦巻きバネ１８の内方端部２９は、軸２１を中心に回転自在な回転板２２に取付けられているため、外方端部２８の移動に従って、軸２１を中心に図における時計回りに移動する。このとき、渦巻きバネ１８による付勢力は、その外方端部２８と内方端部２９とを離す方向に働くため、外方端部２８は軸１３ａを中心に時計回りに付勢される。
【００５０】
したがって、上部支持リンク７ａは、外方端部２８と内方端部２９とが近づくような移動範囲にある場合は、渦巻きバネ１８によって、その回転方向とは逆の方向、即ち、軸１３ａを中心に図における時計回りに付勢されることになる。
【００５１】
更に上部支持リンク７ａが回転すると、渦巻きバネ１８の外方端部２８と内方端部２９とが最も接近した状態となる。この状態から更に上部支持リンク７ａ及び渦巻きバネ１８の外方端部２８の各々が回転して、外方端部２８と内方端部２９とが最も接近する位置を通り過ぎると、今度は、渦巻きバネ１８の外方端部２８と内方端部２９とは互いに遠ざかるように移動する。このとき、渦巻きバネ１８による付勢力は、依然としてその外方端部２８と内方端部２９とを離す方向に働くため、外方端部２８は軸１３ａを中心に反時計回りに更に付勢される。
【００５２】
したがって、上部支持リンク７ａは外方端部２８と内方端部２９とが遠ざかるような移動範囲にある場合は、渦巻きバネ１８によって、その回転方向、即ち、軸１３ａを中心に図における反時計回りに付勢されることになる。
【００５３】
扉が完全に開放されて、上部支持リンク７ａの移動が停止すると、上部支持リンク７ａ及び渦巻きバネ１８は、図の二点鎖線で示した位置で停止する。このとき、上部支持リンク７ａは渦巻きバネ１８によって、軸１３ａを中心に図における反時計回りに付勢されているため、上部支持リンク７ａ、図示しない下部支持リンク及び扉は、上方へと移動した状態が維持される。
【００５４】
このように構成することによって、渦巻きバネ１８による付勢力を、上部支持リンク７ａの移動範囲に応じて、上部支持リンク７ａの回転と同方向にも逆方向にも働かせることが可能となる。よって、従来のようにバネを使用する場合と比べて、リンク機構の構成に要するスペースを小さくすることが可能となる。その結果、奥行きの狭い収納装置にもこのようなリンク機構を適用することが可能となる。
【００５５】
また、このようなリンク機構を使用した収納装置では、従来同様に扉の開閉時の使い勝手が良いのに加えて、リンク機構の構成に要するスペースが小さいため、収納本体内部の実質的な収納スペースを大きくすることも可能となる。
【００５６】
尚、上記の実施の形態によるリンク機構では、渦巻きバネは、回転板により円軌道上を移動するように構成されているが、必ずしもこのように構成する必要はなく、第１の支持リンクである上部支持リンクの回転に伴って、渦巻きバネの内方端部と上部支持リンクに取付けられた外方端部とが一旦近づき、その後遠ざかるように移動することができるように構成されていれば良い。
【００５７】
また、上記の実施の形態による収納装置では、台所等で使用する収納装置のはね上げ扉に適用しているが、収納装置に限らず、他の扉等にも同様に適用することが可能である。
【００５８】
更に、上記の実施の形態による収納装置では、収納本体と扉を接続するために、対向する一対の側板に一対の平行支持リンクのそれぞれが取付けられているが、必ずしも平行支持リンクが対である必要はなく、一方の平行支持リンクだけで接続しても良い。また、必ずしも平行支持リンクである必要はなく、第１の支持リンクである上部支持リンクだけで接続しても良い。
【００５９】
更に、上記の実施の形態による収納装置では、扉の開閉は上下方向となるように構成されているが、必ずしも上下である必要はなく、他の方向に開閉するように構成しても良い。
【００６０】
更に、上記の実施の形態による収納装置では、収納本体を直方体箱形形状に構成しているが、必ずしも直方体である必要はなく、箱形形状であれば良い。
【図面の簡単な説明】
【図１】この発明の第１の実施の形態によるリンク機構を用いた収納装置の断面図である。
【図２】図１で示したリンク機構の拡大図である。
【図３】図２で示したＩＩＩ−ＩＩＩラインの断面図である。
【図４】図２で示したリンク機構の渦巻きバネ取付け部分の拡大図である。
【図５】従来のリンク機構を用いた収納装置の概要を示した図である。
【図６】図５で示したＶＩ−ＶＩラインの断面図である。
【図７】図６で示したリンク機構の拡大図である。
【符号の説明】
１…収納装置
２…収納本体
３…扉
７…上部支持リンク
８…下部支持リンク
９…取付板
１０…扉取付板
１１、１２、１３、１４、１９、２０、２１…軸
１８…渦巻きバネ
２２…回転板
２５、２６…端部
２８…外方端部
２９…内方端部
尚、各図中同一符号は同一又は相当部分を示す。
【図１】
2004316223.tif 000003
【図２】
2004316223.tif 000004
【図３】
2004316223.tif 000005
【図４】
2004316223.tif 000006
【図５】
2004316223.tif 000007
【図６】
2004316223.tif 000008
【図７】
2004316223.tif 000009